(57)【要約】【目的】立体視用フィルターをディスプレイに表示されるストライプ状の左右眼映像の位置に対して正確に合わせることが容易である立体視用フィルター装置を提供する。【構成】立体視用フィルター装置１は、立体視用フィルター２が固定された第１の枠３と、前記第１の枠３をその面内方向に可動に支持する第２の枠４とから成る。立体視用フィルター装置１における左右の縁近傍位置には上下位置調整機構５・５が備えられており、下の縁近傍の中央位置には左右位置調整機構６が備えられている。上下位置調整機構５により、第２の枠４に対して第１の枠３をその左右端において上下方向に移動させる（第１の枠３を傾ける）ことができ、左右位置調整機構６により、第２の枠４に対して第１の枠３を左右方向に移動させることができる。【選択図】　　　　　　　　図１
2004037683.tif 000002
【特許請求の範囲】
【請求項１】
立体視用フィルターが固定された第１の枠と、前記第１の枠をその面内方向に可動に支持する第２の枠とから成り、左右の両方若しくは右又は左の縁近傍位置には第２の枠に対して第１の枠の縁を上下方向に移動させる位置調整機構が備えられていることを特徴とする立体視用フィルター装置。
【請求項２】
立体視用フィルターが固定された第１の枠と、前記第１の枠をその面内方向に可動に支持する第２の枠とから成り、上又は下の縁近傍位置には第２の枠に対して第１の枠を左右方向に移動させる位置調整機構が備えられていることを特徴とする立体視用フィルター装置。
【請求項３】
請求項１又は請求項２に記載の立体視用フィルター装置において、前記位置調整機構はねじ部付きの回転部材を有して成り、前記第１の枠の一部が前記ねじ部に螺合され、前記第２の枠の一部が前記回転部材を支持して当該回転部材の軸芯方向の移動を規制するように構成されていることを特徴とする立体視用フィルター装置。
【請求項４】
立体視用フィルターが固定された第１の枠と、前記第１の枠をその面内方向に可動に支持する第２の枠とから成り、左右の両方若しくは右又は左の縁近傍位置には第２の枠に対して第１の枠を上下方向に移動させる第１の位置調整機構が備えられ、上又は下の縁近傍位置には第２の枠に対して第１の枠を左右方向に移動させる第２の位置調整機構が備えら、前記第１の位置調整機構及び第２の位置調整機構はねじ部付きの回転部材を有して成り、前記第１の枠の一部が前記ねじ部に螺合され、前記第２の枠の一部が前記回転部材を支持して当該回転部材の軸芯方向の移動が規制される一方、前記第１の位置調整機構の回転部材は左右方向の移動が許容され、前記第２の位置調整機構の回転部材は上下方向の移動が許容されるように構成されていることを特徴とする立体視用フィルター装置。
【請求項５】
立体視用フィルターが固定された第１の枠と、前記第１の枠をその面内方向に可動に支持する第２の枠とから成り、前記第２の枠には、ディスプレイの画面縁を覆っている画面枠部材の下縁に当接する当接支持部が設けられていることを特徴とする立体視用フィルター装置。
【請求項６】
請求項５に記載の立体視用フィルター装置において、前記第２の枠には突出片部が設けられており、この突出片部が画面枠部材の縁に圧接するように構成されたことを特徴とする立体視用フィルター装置。
【請求項７】
請求項５に記載の立体視用フィルター装置において、前記第２の枠には突出片部が設けられており、この突出片部が画面枠部材の縁とディスプレイの画面縁との間の隙間に差し込まれるように構成されたことを特徴とする立体視用フィルター装置。
【請求項８】
請求項６又は請求項７に記載の立体視用フィルター装置において、突出片部が当接支持部を兼ねるように構成されたことを特徴とする立体視用フィルター装置。
【請求項９】
請求項６乃至請求項８のいずれかに記載の立体視用フィルター装置において、前記突出片部を支持する支持体が第２の枠に対して可動に設けられていることを特徴とする立体視用フィルター装置。
【請求項１０】
請求項９に記載の立体視用フィルター装置において、第２の枠に設けられた調節ねじを回すことによって前記支持体が移動するように構成されたことを特徴とする立体視用フィルター装置。
【請求項１１】
請求項９に記載の立体視用フィルター装置において、第２の枠に設けられたボタンを押すことによって前記支持体が移動するように構成されたことを特徴とする立体視用フィルター装置。
【請求項１２】
請求項６乃至請求項８のいずれかに記載の立体視用フィルター装置において、前記突出片部は弾性を有し、この弾性によって突出片部が第２の枠に対して可動となるように設けられていることを特徴とする立体視用フィルター装置。
【請求項１３】
請求項１乃至請求項８のいずれかに記載の立体視用フィルター装置において、前記第１の枠及び第２の枠突は透明材料から成ることを特徴とする立体視用フィルター装置。
【発明の詳細な説明】
【０００１】
【産業上の利用分野】
この発明は、通常の液晶ディスプレイなどを眼鏡無し立体映像表示装置とするために当該液晶ディスプレイなどに装着されて用いられる立体視用フィルター装置に関する。
【０００２】
【従来の技術】
従来より、特殊な眼鏡を必要とせずに立体映像表示を実現する方法として、パララックスバリア方式やレンチキュラーレンズ方式などが知られている。パララックスバリアやレンチキュラーレンズは、通常、ディスプレイの画面に貼付固定されることになるが、これではディスプレイが立体視専用の装置になってしまう。そこで、パララックスバリアやレンチキュラーレンズとなる立体視用フィルターをディスプレイに着脱自在に装着できる立体視用フィルター装置が提案されている。ここで、ＣＲＴ（陰極線管）方式のディスプレイの電磁波対策として電磁波遮蔽用のフィター装置が知られており、かかるフィルター装置は、ディスプレイの筐体上面に支持部材を粘着剤によって貼付し、この支持部材によってフィターを吊り下げる構造が一般的である。従来の立体視用フィルター装置についても、上記電磁波遮蔽用のフィルター装置と同様の構造が採用されている。
【０００３】
【発明が解決しようとする課題】
しかしながら、上記立体視用フィルターはディスプレイに表示されるストライプ状の左右眼映像の位置に対応して正確に合わせなければならず、上記従来の立体視用フィルター装置では、このような正確な位置決めが難しいという欠点があった。
【０００４】
この発明は、上記の事情に鑑み、立体視用フィルターをディスプレイに表示される左右眼映像の位置に対して正確に合わせることが容易である立体視用フィルター装置を提供することを目的とする。
【０００５】
【課題を解決するための手段】
この発明の立体視用フィルター装置は、上記の課題を解決するために、立体視用フィルターが固定された第１の枠と、前記第１の枠をその面内方向に可動に支持する第２の枠とから成り、左右の両方若しくは右又は左の縁近傍位置には第２の枠に対して第１の枠の縁を上下方向に移動させる位置調整機構が備えられていることを特徴とする。
【０００６】
上記構成であれば、例えばディスプレイ上に右眼映像と左眼映像とをストライプ状に交互表示させ、立体視用フィルターとして右眼映像と左眼映像とを分離させるものを設定しておき、第２の枠をディスプレイに固定することによって眼鏡無し立体映像表示装置とすることができる。そして、第２の枠をディスプレイに固定しても、左右の両方若しくは右又は左の縁近傍位置には位置調整機構が備えられており、かかる位置調整機構にて第１の枠を第２の枠に対して傾ける（回転させる）ことができるので、当該第１の枠に固定された立体視用フィルターにおける映像分離要素（例えば、パララックスバリア）の傾きを液晶ディスプレイ上の左右眼映像に対応させることが可能になる。また、左右の両方の縁に位置調整機構を設ける場合には第１の枠の回転に加えて平行上下移動も可能となる。
【０００７】
また、この発明の立体視用フィルター装置は、立体視用フィルターが固定された第１の枠と、前記第１の枠をその面内方向に可動に支持する第２の枠とから成り、上又は下の縁近傍位置には第２の枠に対して第１の枠を左右方向に移動させる位置調整機構が備えられていることを特徴とする。
【０００８】
かかる構成であれば、第２の枠をディスプレイに固定しても、上又は下の縁近傍位置には位置調整機構が備えられており、かかる位置調整機構にて第１の枠を左右に移動させることができるので、当該第１の枠に固定された立体視用フィルターにおける映像分離要素の位置をディスプレイ上のストライプ状の左右眼映像に対応させることが可能になる。
【０００９】
前記位置調整機構はねじ部付きの回転部材を有して成り、前記第１の枠の一部が前記ねじ部に螺合され、前記第２の枠の一部が前記回転部材を支持して当該回転部材の軸芯方向の移動を規制するように構成されていてもよい。かかる構成であれば、前記回転部材を操作することで、第１の枠（立体視用フィルター）の傾き／位置調整が行える。
【００１０】
また、この発明の立体視用フィルター装置は、立体視用フィルターが固定された第１の枠と、前記第１の枠をその面内方向に可動に支持する第２の枠とから成り、左右の両方若しくは右又は左の縁近傍位置には第２の枠に対して第１の枠の縁を上下方向に移動させる第１の位置調整機構が備えられ、上又は下の縁近傍位置には第２の枠に対して第１の枠を左右方向に移動させる第２の位置調整機構が備えら、前記第１の位置調整機構及び第２の位置調整機構はねじ部付きの回転部材を有して成り、前記第１の枠の一部が前記ねじ部に螺合され、前記第２の枠の一部が前記回転部材を支持して当該回転部材の軸芯方向の移動が規制される一方、前記第１の位置調整機構の回転部材は左右方向の移動が許容され、前記第２の位置調整機構の回転部材は上下方向の移動が許容されるように構成されていることを特徴とする。
【００１１】
上記の構成であれば、第２の枠をディスプレイに固定しても、左右の両方若しくは右又は左の縁近傍位置には位置調整機構が備えられており、更に、上又は下の縁近傍位置にも位置調整機構が備えられており、これら位置調整機構にて第１の枠の傾き（回転）及び左右移動が行えるので、当該第１の枠に固定された立体視用フィルターにおける映像分離要素の位置をディスプレイ上の左右眼映像に確実に対応させることができる。
【００１２】
また、この発明の立体視用フィルター装置は、立体視用フィルターが固定された第１の枠と、前記第１の枠をその面内方向に可動に支持する第２の枠とから成り、前記第２の枠には、ディスプレイの画面縁を覆っている画面枠部材の下縁に当接する当接支持部が形成されていることを特徴とする。
【００１３】
上記の構成であれば、ディスプレイの画面縁を覆っている画面枠部材の下縁を基準にして立体視用フィルター装置をディスプレイに装着することができる。画面枠部材はディスプレイに対して概ね正確に位置しており、かかる画面枠部材の下縁を基準とすることで、第１の枠の移動調整量が少なくて済む。
【００１４】
前記第２の枠には突出片部が設けられており、この突出片部が画面枠部材の縁に圧接するように構成されていてもよい。或いは、前記第２の枠には突出片部が設けられており、この突出片部が画面枠部材の縁とディスプレイの画面縁との間の隙間に差し込まれるように構成されていてもよい。また、突出片部が当接支持部を兼ねるように構成されていてもよい。
【００１５】
また、前記突出片部を支持する支持体が第２の枠に対して可動に設けられていてもよい。かかる構成において、第２の枠に設けられた調節ねじを回すことによって前記支持体が移動するように構成されていてもよい。或いは、第２の枠に設けられたボタンを押すことによって前記支持体が移動するように構成されていてもよい。
【００１６】
また、前記突出片部は弾性を有し、この弾性によって突出片部が第２の枠に対して可動となるように設けられていてもよい。また、前記第１の枠及び第２の枠突は透明材料から成っていてもよい。
【００１７】
【発明の実施の形態】
以下、この発明の実施形態の立体視用フィルター装置を図１乃至図９に基づいて説明する。
【００１８】
図１はこの発明の実施形態における立体視用フィルター装置１を示した斜視図である。同図（ａ）に示すように、立体視用フィルター装置１は、例えば液晶ディスプレイ５０を眼鏡無し立体映像表示装置とするために当該液晶ディスプレイ５０の画面に装着されて用いられる。この立体視用フィルター装置１は、立体視用フィルター２が固定された第１の枠３と、前記第１の枠３をその面内方向に可動に支持する第２の枠４とから成る。立体視用フィルター２としては、例えば、透明基板に左右眼映像分離要素（パララックスバリア或いはレンチキュラーレンズ等）となるフィルムを貼付したものを用いることができる。立体視を行うこときには、例えば、液晶ディスプレイ５０上に右眼映像と左眼映像とをストライプ状（縦或いは横など）に交互表示させることになり、この表示形態に応じてフィルター２の左右眼映像分離要素の形態が決まることになる。
【００１９】
前記立体視用フィルター装置１における左右の縁近傍位置には上下位置調整機構５・５が備えられており、下の縁近傍の中央位置には左右位置調整機構６が備えられている。
【００２０】
上下位置調整機構５は、第２の枠４に対して第１の枠３を上下方向に移動させるものである。図２は、右縁側に配置されている上下位置調整機構５を示しており、同図（ａ）は正面側から見た一部断面図であり、同図（ｂ）は右側面側から見た断面図である。上下位置調整機構５は、回転部材７を有して成る。この回転部材７は、円柱形状の本体部７ａの上面側にねじ部７ｂを同一軸上に有し、下面側に小円柱部７ｃを同一軸上に有して成る。本体部７ａの位置に対応する第２の枠４の箇所には切欠き４ａが形成されることで本体部７ａが露呈されており、利用者の指による本体部７ａの回動操作が可能になっている。前記ねじ部７ｂは、第１の枠３の突起部３ａに螺合されている。この螺合によって回転部材７は第１の枠３の重量を受けて前記小円柱部７ｃの下面をを第２の枠４の平面部４ｂに当てている。すなわち、回転部材７は第１の枠３の重量を利用して軸芯方向移動規制が行われるようになっている。平面部４ｂは左右方向に平坦であり、回転部材７の左右方向移動を許容する。回転部材７を回動させると、ねじ部７ｂと突起部３ａとの螺合位置が相対変化する一方で小円柱部７ｃと平面部４ｂとの当接状態は変わらないため、第１の枠３は第２の枠４に対して上下方向に移動することになる。
【００２１】
左右位置調整機構６は、第２の枠４に対して第１の枠３を左右方向に移動させるものである。図３は、左右位置調整機構６を示しており、同図（ａ）は正面側から見た一部断面図であり、同図（ｂ）は右側面側から見た断面図である。左右位置調整機構６は、回転部材８を有して成る。この回転部材８は、円柱形状の本体部８ａの右側にねじ部８ｂを同一軸上に有し、左側に小円柱部８ｃを同一軸上に有して成る。本体部８ａの位置に対応する第２の枠４の箇所には切欠き４ｃが形成されることで本体部８ａが露呈されており、利用者の指による本体部８ａの回動操作が可能になっている。前記ねじ部８ｂは、第１の枠３の突起部３ｃに螺合されている。前記小円柱部８ｃには二つの鍔部が形成されており、この二つの鍔部の間の部分が第２の枠４における板状支持部のＵ字型溝４ｄに係合している。このＵ字型溝４ｄへの係合によって、回転部材８の左右方向の移動規制（軸芯方向移動規制）が行われるが上下方向には移動が許容されることになる。回転部材８を回動させると、ねじ部８ｂと突起部３ｃとの螺合位置が相対変化する一方で小円柱部８ｃとＵ字型溝４ｄとの係合状態は変わらないため、第１の枠３は第２の枠４に対して左右方向に移動することになる。なお、左右位置調整機構６は第２の枠４の上側に設けることも可能である。
【００２２】
このように位置調整機構５・６を備えたことで、第２の枠４を液晶ディスプレイ５０に固定しても、位置調整機構５・６によって例えば第１の枠３の右側を上方向に移動させ左側を下側に移動させ、更に左右に移動させるなどの調整が行えるので、当該第１の枠３に固定された立体視用フィルター２における映像分離要素の位置／傾きを液晶ディスプレイ５０上のストライプ状の左右眼映像に確実に対応させることができる。
【００２３】
液晶ディスプレイ５０上には一般に縦ストライプ状に左眼映像と右眼映像とが交互に形成される。この縦ストライプ状の左右眼映像に対して、立体視用フィルター２の左右位置ずれは左右位置調整機構６によって調整でき、斜めずれは上下位置調整機構５・５によって調整できる。また、液晶ディスプレイ５０上に横ストライプ状に左眼映像と右眼映像きを交互に形成することも考えられ、この場合には、立体視用フィルター２として四角形光透過部或いは四角形状の蒲鉾レンズ部が千鳥配置されたものや縦長光透過部或いは縦長蒲鉾レンズ部が斜め配置されたものを用いることになり、かかる場合においても、上下位置調整機構５・５と左右位置調整機構６の一方或いは両方を存在させることで、立体視用フィルター２の位置／傾きを調整することが可能になる。勿論、二眼式に限らず、多眼式構成においても、立体視用フィルター装置１を適用することができる。
【００２４】
図４は立体視用フィルター装置１に４つの係止機構１１…を備えた構成例を示している。４つの係止機構１１…は立体視用フィルター装置１の左右縁部の上下位置に二個ずつ備えられている。図５は左辺部の上位置に設けられた係止機構１１を拡大して示している。係止機構１１における突出片部１２は薄板形状を成しており、その先端側が左外側に屈曲形成されている。突出片部１２における前記屈曲部分が、図６（ａ）に示すように、液晶ディスプレイ５０における画面枠部材５０ａの縁と画面縁との間の隙間に差し込まれるようになっている。また、左右辺部の下位置の係止機構１１・１１における突出片部１２・１２は、画面枠部材５０ａの下縁に当接する当接支持部を兼ねている。すなわち、下位置の突出片部１２・１２が、画面枠部材５０ａの下縁に当接し、画面枠部材５０ａの下縁と立体視用フィルター装置１との基本的な位置関係を決めることになる。
【００２５】
図７（ａ）（ｂ）及び図８（ａ）（ｂ）に示すように、突出片部１２は第１可動部材１３に固定されている。第１可動部材１３はガイド部４ｅによって第２の枠４における左右方向の移動のみが許容される。この第１可動部材１３には、その横側に配置された第２可動部材１５が傾斜面当接しており、傾斜Ｔ溝・傾斜Ｔナット係合によって互いに離間不能で且つ傾斜摺接動作が行えるようになっている。第２可動部材１５はガイド部４ｆによって第２の枠４における厚み方向の移動のみが許容される。第２可動部材１５にはねじ穴１５ａが形成されており、このねじ穴１５ａに調節ねじ１４のねじ部が螺合している。調節ねじ１４は軸芯方向の移動が規制されており、回動するのみである。調節ねじ１４の頭部は第２の枠４の表面側に露呈させてある。利用者が調節ねじ１４の頭部を回すと、第２可動部材１５が第２の枠４における厚み方向に移動し、この移動によって第１可動部材１３は左右方向に移動し、この左右方向移動によって突出片部１２が左右に移動する。このように、調節ねじ１４を回し、突出片部１２を移動させることができるので、液晶ディスプレイ５０が機種ごとに画面枠部材５０ａの寸法が多少異なっていても容易に対応できる。
【００２６】
上記の例では、突出片部１２を液晶ディスプレイ５０における画面枠部材５０ａの縁と画面縁との間の隙間に差し込むこととしたが、これに限らず、図６（ｂ）に示しているように、画面枠部材５０ａに垂直立ち上がり部分が存在するのであれば、この垂直立ち上がり部分を押圧する形状の突出片部１２′を用いることができる。また、係止機構１１…においては、調節ねじ１４を回すことで突出片部１２を移動させることとしたが、図９に示すように、第２の枠４の側面にボタン１６を配置し、このボタン１６の押下によって突出片部１２（或いは突出片部１２′）が移動する係止機構を採用してもよい。かかる係止機構の具体的構造例としては、例えば、突出片部１２が固定される可動部材を図示しないばねによって外方向に付勢しておき、前記ボタン１６の押下で可動部材が前記ばねの付勢に抗して内方向に移動する構造が挙げられる。また、突出片部１２（或いは突出片部１２′）に弾性を持たせ、この弾性によって突出片部が第２の枠３に対して可動となるようにしてもよい。また、前述した回転部材７による構造と前記ボタン１６の構造の組み合わせにより、画面枠部材５０ａの寸法ばらつき対応と共に立体視用フィルター装置１の着脱時の突出片部１２の簡単操作が行える構成としてもよい。また、下側２カ所の突出片部１２が画面枠部材５０ａの下縁に当接する当接支持部を兼ねる構成を示したが、下側２カ所の突出片部１２を無くし（上側２カ所の突出片部１２だけとし）、第２の枠４の下縁中央に当接支持部を設けることとしてもよい。この場合、当接支持部の左右方向の長さを長くし、画面枠部材５０ａの下縁の当たり領域を多く採るのがよい。また、立体視用フィルター装置１の左右の両方に上下位置調整機構５・５を設けたが、片側のみに上下位置調整機構５を設け、他方の側はヒンジ構造とする、或いは、フリーとすることによっても、第１の枠３の傾き調整が可能である。また、位置調整機構５・６としては回転部材７・８を用いる構造を示したが、これに限るものではなく、他の構造を採用し得る。前記第１の枠３及び第２の枠突４を透明プラスチック等にて構成すれば、画面隅のアイコン等の視認が可能になる。また、前記第１の枠３及び第２の枠突４を画面枠部材５０ａの色や材質や模様等と同じにすれば、当該立体視用フィルター装着の違和感を無くすことができる。
【００２７】
【発明の効果】
以上説明したように、この発明によれば、例えばディスプレイ上に右眼映像と左眼映像とを交互表示させ、立体視用フィルターとして右眼映像と左眼映像とを分離させるものを設定しておき、第２の枠をディスプレイに固定することによって眼鏡無し立体映像表示装置とすることができる。そして、第２の枠をディスプレイに固定しても、位置調整機構にて第１の枠の傾き（回転）や左右位置調整が行えるので、第１の枠に固定された立体視用フィルターにおける映像分離要素を液晶ディスプレイ上の左右眼映像に対応させることが可能になる。
【００２８】
ディスプレイの画面縁を覆っている画面枠部材の下縁に当接する当接支持部が形成されている構成であれば、ディスプレイの画面縁を覆っている画面枠部材の下縁を基準にして立体視用フィルター装置をディスプレイに装着することができる。画面枠部材はディスプレイに対して概ね正確に位置しており、かかる画面枠部材の下縁を基準とすることで、第１の枠の移動調整量が少なくて済む。
【００２９】
突出片部が可動に設けられている構成であれば、ディスプレイにおける画面枠部材の寸法ばらつき対応や立体視用フィルター装置の着脱の容易化が図れる。
【図面の簡単な説明】
【図１】この発明の実施形態を示した図であって、同図（ａ）は立体視用フィルター装置及び液晶ディスプレイを示した斜視図であり、同図（ｂ）は立体視用フィルター装置の第１の枠と第２の枠を分離して示した斜視図である。
【図２】右縁側に配置されている上下位置調整機構を示しており、同図（ａ）は正面側から見た一部断面図であり、同図（ｂ）は右側面側から見た断面図である。
【図３】左右位置調整機構を示しており、同図（ａ）は正面側から見た一部断面図であり、同図（ｂ）は右側面側から見た断面図である。
【図４】立体視用フィルター装置に係止機構を備えた構成例を示した斜視図である。
【図５】左辺部の上位置に設けられた係止機構を拡大して示した斜視図である。
【図６】突出片部による立体視用フィルター装置の係止を示した断面図であり、同図（ａ）は突出片部が液晶ディスプレイにおける画面枠部材の縁と画面縁との間の隙間に差し込まれるタイプを示し、同図（ｂ）は突出片部が液晶ディスプレイにおける画面枠部材の立ち上がり部に圧接するタイプを示している。
【図７】同図（ａ）（ｂ）は係止機構を示した断面図である。
【図８】同図（ａ）（ｂ）は係止機構を示した斜視図である。
【図９】左辺部の上位置に設けられた他の構成例の係止機構を拡大して示した斜視図である。
【符号の説明】
１　　立体視用フィルター装置
２　　立体視用フィルター
３　　第１の枠
４　　第２の枠
５　　上下位置調整機構
６　　左右位置調整機構
７　　回転部材
８　　回転部材
１１　係止機構
１２　突出片部
１２′突出片部
１４　調節ねじ
５０　液晶ディスプレイ
５０ａ画面枠部材
【図１】
2004037683.tif 000003
【図２】
2004037683.tif 000004
【図３】
2004037683.tif 000005
【図４】
2004037683.tif 000006
【図５】
2004037683.tif 000007
【図６】
2004037683.tif 000008
【図７】
2004037683.tif 000009
【図８】
2004037683.tif 000010
【図９】
2004037683.tif 000011